(57)【要約】      （修正有）【課題】ペットに人間用便器を利用させる。【解決手段】糞尿吸収剤を載せた状態でペットが上方開口から進入し、内部において排泄することができる糞尿容器と、通孔を備え、かつ前記糞尿容器に対して取外し可能に取り付けられているカバーとを備える。【選択図】図３
0003141602.tif 000002
【実用新案登録請求の範囲】
【請求項１】
糞尿吸収剤を載せた状態でペットが上方開口から進入し、内部において排泄することができる糞尿容器と、通孔を備え、かつ前記糞尿容器に対して取外し可能に取り付けられているカバーとを備えたペット用便器。
【請求項２】
前記カバーは人間用便器のカバーとして使われるように構成されている、請求項１に記載のペット用便器。
【請求項３】
前記カバーは糞尿容器に上方開口を開閉可能に枢止されている請求項１に記載のペット用便器。
【請求項４】
糞尿吸収剤擬似体を更に備えている請求項１に記載のペット用便器。
【請求項５】
前記通孔内に、上方開口を有し、かつ内部には糞尿吸収剤擬似体が収容されている有底容器が取外し可能に取り付けられている請求項１に記載のペット用便器。
【請求項６】
前記有底容器は本体と、該本体に対して取外し可能に取り付けられている底部とからなる請求項５に記載のペット用便器。
【請求項７】
前記カバーは上面には滑止め用の凹凸体が形成されている請求項１に記載のペット用便器。
【請求項８】
前記カバーの上面には糞尿吸収剤擬似模様が形成されている請求項１に記載のペット用便器。
【請求項９】
前記カバーは、その上面において外周縁から通孔の周縁である内周縁へと下降する傾斜面を有する請求項１に記載のペット用便器。
【考案の詳細な説明】
【技術分野】
【０００１】
本考案は、ペットをペット用便器の利用から人間用便器の利用に転換させる訓練に使用するペット用便器に関する。
【背景技術】
【０００２】
室内において飼育するネコやイヌ等のペットのために、ペット用便器が使用されている。
従来のペット用便器は、基本的に、猫砂、藁切り、葉っぱなど糞尿吸収剤を載せたままでペットが上方開口から入り、内部において排泄できる容器からなっている。ネコやイヌは賢明な動物であり、妥当な訓練を経ると、習慣的に自から上記の便器を使用することができるようになる。
【０００３】
しかし、このような便器内の糞尿は、人が人間用便器に移したり、便器を整理?水洗し
たりする、などの後処理が必要である。
【考案の開示】
【考案が解決しようとする課題】
【０００４】
前記問題点に鑑みて、考案者はペットが自から人間用の便所へ行かせたいという考えていた。考案者は、自分でペット用便器へ行ける動物なら、更なる措置や訓練により、人間用便器へいくことも可能であると考え、試験を重ねて本考案を完成するに至った。
【０００５】
本考案は、ペットをペット用便器の利用から人間用便器の利用に転換させる訓練に使用するペット用便器を提供することを目的とする。
【課題を解決するための手段】
【０００６】
前記目的を達成するために、考案者は、基本的に、ペット用便器内の糞尿吸収剤上に外観が糞尿吸収剤に紛らわしい糞尿吸収剤擬似体を配置した後、従来のようにペットを排泄に行かせる段階１と、前記段階１を引き続けながらペット用便器をほぼ人間用便器の高さにまでに暫時高める段階２と、前記段階２と平行して、通孔を備えたカバーによりペット用便器を覆い、前記糞尿吸収剤擬似体を糞尿吸収剤上の通孔の直下においてペットを排泄に行かせる段階３と、前記糞尿吸収剤擬似体を通孔の近くにまで上げてペットを排泄に行かせる段階４と、前記段階４に引き続いて糞尿吸収剤擬似体をカバーに固定してから人間用便器に転用し、この人間用便器にペットを排泄に行かせる段階５とにより、ぺットをペット用便器の利用から人間用便器の利用に転換させる。
【０００７】
前記した転換を実施するために、考案者は糞尿吸収剤を載せたままでペットが上方開口から入ってその中に排泄することができる糞尿容器と、通孔を有し、かつ糞尿容器に対して取外し可能に取り付けられているカバーとを備えたペット用便器を提供する。
【０００８】
前記ペット用便器を使用して訓練を実施する前に、先に前記段階１〜段階３のために糞尿吸収剤を、段階１〜段階５のために糞尿吸収剤擬似体を、また、段階２〜段階４のためにペット用便器の高さを暫時高める板体や支持台をそれぞれ用意しておくことが好ましい。
【０００９】
前記糞尿吸収剤としては、砂、藁切り、葉っぱなどの天然物が挙げられるが、それらの吸収機能に相当する人造物も使用可能である。動物の糞尿と共に捨てるのは通常であるので、消耗品と見なされる。
【００１０】
また、前記糞尿吸収剤擬似体としては、外観が砂、藁切り、葉っぱなどの糞尿吸収剤の外観に紛らわしいものがよい。なお、天然の砂、藁切り、葉っぱを使用した場合には、消耗品として動物の糞尿と共に捨てればよい。これら吸収剤の類似物を特に拵えた場合、回収使用が好ましい。
【考案の効果】
【００１１】
前記ペット用便器を使用することにより、自らペット用便器へ行けるペットを徐々に人間用便所へ行かせるように訓練できるため、ペットをペット用便器から人間用便器を利用するように転換させることができる。
【００１２】
なお、まだ自らペット用便器へ行くことができない動物の場合には、前記段階１に先立ちペット用便器へ排泄に行かせる予備訓練を施せばよい。
【考案を実施するための最良の形態】
【００１３】
以下、本考案のペットをペット用便器の利用から人間用便器の利用に転換させる訓練に使用するペット用便器の好ましい実施の形態を図面を参照して説明する。
以下の実施の形態においては、ペットとしてネコを例にして説明するが、本考案はネコに限定されるものではない。
【００１４】
図１は本考案のペットをペット用便器の利用から人間用便器の利用に転換させる訓練方法の各段階、即ち予備段階及び段階１〜段階６を示すフローチャートである。図２は本考案の訓練方法、及び、該訓練方法に合わせて使う本考案のペット用便器の使用状態を段階的に示す図である。図３は本考案におけるペット用便器の分解斜視図である。図４はペット用便器におけるカバー及び便座の断面図である。図５はペット用便器における有底容器の拡大分解斜視図である。図６はペット用便器における有底容器の平面図である。図７は、本考案の訓練方法、及び、本考案のペット用便器におけるカバー及び便座が転用により人間用便器に取り付けられている状態の変化を段階的に示す図である。図８は本考案の訓練方法を通ったネコと人間との人間用便器を共用する時の説明図である。
【００１５】
まず、図１に示すように、訓練の対象がまだぺット用便器を利用したことがないネコならば、本考案の訓練方法を実施するに先立ち、従来の方法のようにネコをペット用便器へ排泄に行かせる予備段階をする。この場合、普通のペット用便器を使用してもよいが、本考案のペット用便器を使用することが好ましい。この理由として、随時に訓練の実績をみて次の段階やステップへ適時に進み、結果として訓練の需要時間を縮めることができる点が挙げられる。
【００１６】
図１を参照する。この訓練の要点は：
（１）ペット用便器内の糞尿吸収剤上に外観において糞尿吸収剤に類似する糞尿吸収剤擬似体を配置し、従来と同様にペットを排泄に行かせる段階１と、
（２）前記段階１を引き続けながらペット用便器を人間用便器とほぼ同一の高さにまで暫時高める段階２と、
（３）前記段階２と平行して、通孔を有するカバーにてペット用便器を覆った上で、糞尿吸収剤擬似体を糞尿吸収剤上の通孔の直下においてペットを排泄に行かせる段階３と、
（４）前記糞尿吸収剤擬似体を通孔の近くに上げてペットを排泄に行かせる段階４と、
（５）前記段階４に引き続いて糞尿吸収剤擬似体をカバーに仮固定してから人間用便器に転用し、該人間用便器にペットを排泄に行かせる段階５と、
（６）前記カバーから糞尿吸収剤擬似体を取り外してペットを排泄に行かせる段階６とからなっている。
【００１７】
次に、図２及び図７を参照して前記６段階をより詳細に説明すると、ステップＳ１は、ペット用便器１内の糞尿吸収剤１５１上に糞尿吸収剤擬似体１３を配置し、従来と同様にネコを排泄に行かせる段階１である。このステップＳ１のために、本考案のペット用便器１と、外観が糞尿吸収剤１５１に類似する糞尿吸収剤擬似体１３（図５参照）が使用される。
【００１８】
本考案のペット用便器１は、基本的に、糞尿吸収剤１５１を載せたままでペットが上方開口１５２（図３参照）から入ってその中に排泄することができる糞尿容器１５と、通孔１１０を備えるとともに、糞尿容器１５に取外し可能、且つ上方開口１５２を開閉可能に枢止されているカバー１１とを備えている。この時点では、カバー１１は不必要であるため、図示したように上方に開放されている。また、ペット用便器１では、糞尿容器１５とカバー１１との間に、人間用便器２の便座として人間用便器２に移転されて使用される便座１４も含まれている。また、図４の断面図を参照すると、カバー１１の上面は、外周縁から内周縁（即ち通孔１１０の周縁）へと少々窪んでいて傾斜面となっている。それによると、ネコの排泄物が直接に糞尿容器１５または人間用便器２に落ちなくても、カバー面の傾斜に沿って滑り落ちる。
【００１９】
もちろん個体差があるが、考案者の試験訓練によると、ステップＳ１は、通常１日〜３日程度を要する。このステップＳ１の実施は、ネコを糞尿吸収剤擬似体１３に慣れさせるためのである。
【００２０】
また、ここに使われる糞尿吸収剤１５１は、水膨潤性に富む素材を用いて作った猫砂である。
そして、ステップＳ２〜Ｓ５は、ステップＳ１を引き続けながらペット用便器１をほぼ人間用便器２の高さまでに徐々に高める段階２と、前記段階２と合わせてペット用便器１を通孔１１０を有するカバー１１で覆い、糞尿吸収剤擬似体１３を糞尿吸収剤１５１上の通孔１１０の直下においてペットを排泄に行かせる段階３と、糞尿吸収剤擬似体１３を通孔１１０の近くに上昇させて、ネコを排泄に行かせる段階４とを繰り返し実施するステップである。このステップＳ２〜Ｓ５のために、ペット用便器１の下方には、同便器１の高さを徐々に増加させる板体１８１及び支持台１８２を前もって用意しておく必要がある。それに、図３に示すように、カバー１１の上面１１１に、糞尿吸収剤擬似模様１１３になる凹凸体が形成されているので、ネコが滑ることを防止することができる。
【００２１】
そして、ステップＳ３、Ｓ５のために有底容器１２が使用される。有底容器１２は、通孔１１０内に取外し可能に取り付けられるものである上、図５のように、上開口１２０を有する円筒体であって、その中に葉っぱ様の糞尿吸収剤擬似体１３が円筒体の内壁に開けられた複数の穴１２２に差し込まれて設けられている（図６をも参照）。
【００２２】
また、この例における有底容器１２は、本体１２１と本体に取外し可能に取り付けられている底部１２３とからなっているので、ペットの糞尿整理に便利である。
ステップＳ２〜Ｓ５を実施するとき、訓練の実績に合わせてこの４ステップを繰り返す必要があるが、図示のような方式によると、通常はＳ２、Ｓ３が１日〜３日（Ｓ２：午前１２時間、Ｓ３：午後１２時間）、Ｓ４、Ｓ５が１日〜６日（Ｓ４：午前１２時間、Ｓ５：午後１２時間）程度でよい。ステップＳ２〜Ｓ５の実施は、ネコをカバー１１の通孔１１０を経由して排泄すること及び人間用便器２の高さにおける排泄行為に慣れさせるためのである。
【００２３】
さらに、図７に示すように、ステップＳ６〜Ｓ９は、ステップＳ２〜Ｓ５に引き続いて糞尿吸収剤擬似体１３をカバー１１に仮固定してから人間用便器２に転用し、該人間用便器２にネコを排泄に行かせる段階５の実施ステップである。また、図示のように、カバー
１１及び便座１４は、人間用便器２のカバー及び便座としても使われるように構成されている上、互いに一組になっているので、一緒に人間用便器２に転用されることができる。
【００２４】
図示のような方式によると、通常は、ステップＳ６〜Ｓ９が各１日〜３日程度でよい（Ｓ７：午前１２時間、Ｓ８：午後１２時間）。このステップＳ６〜Ｓ９の実施は、ネコを人間用便器２の利用に慣れさせるためのである。
【００２５】
なお、ステップＳ７は有底容器１２の底部１２３を取付けた状態で訓練を行うステップであり、Ｓ８は有底容器１２の底部１２３を取外した状態で訓練を行うステップである。この２ステップは、訓練の実績をみて繰り返し実施することができる。
【００２６】
そして、ステップＳ９、Ｓ１０は、底部１２３を取外した状態で訓練を行うステップである。このステップになると、ネコの排泄物が直接に人間用便器２に落下するため、容易に洗い出されることができる。
【００２７】
そのうち、ステップＳ１０は、ステップＳ６〜Ｓ９に引き続いて更にカバー１１から糞尿吸収剤擬似体１３を取り外してペットを排泄に行かせる段階６の実施ステップである。ステップＳ１０の訓練が終了した後、有底容器１２を底部１２３が取り外れたままの状態でカバー１１に残しても良いが、本体１２１をも取り外して完全に除去しても良い（ステップＳ１１参照）。
【００２８】
それで、ネコが自分で便所へ行くことができる。従って、図８に示すように、人間が使用しようとする際に限ってカバー１１を開け、通常は、ネコの使用に備えるためにカバー１１を閉める必要がある。さらに、場合によって、登り板１９を取り付けることも良い。その時、図示のように、登り板１９は、その上面に凹凸体が形成してあるものを使用してネコの滑りを防止することが好ましい。
【００２９】
本考案は、その精神及び必須の特徴事項から逸脱することなく他のやり方で実施することができる。従って、本明細書に記載した好ましい実施例は例示的なものであり、限定的なものではない。
【産業上の利用可能性】
【００３０】
本考案のペット用便器は、前記のように、本考案の訓練方法と合わせて、自らペット用便器を使用できるペット、又はできないペットが、徐々に人間用便所を使用できるように訓練可能である。換言すれば、ペットをペット用便器の利用を経由して人間用便器の利用に馴染ませることにより、従来の猫砂などの使用が回避され、更にはペットの糞尿処理問題を無くすことができる。
【図面の簡単な説明】
【００３１】
【図１】ペットをペット用便器の利用から人間用便器の利用に転換させる訓練方法の各段階を示すフローチャート。
【図２】本考案の訓練方法、及び、該訓練方法に合わせて使う本考案のペット用便器の使用状態を段階的に示す説明図。
【図３】本考案のペット用便器の分解斜視図。
【図４】本考案のペット用便器におけるカバー及び便座の断面図。
【図５】本考案のペット用便器における有底容器の拡大分解斜視図。
【図６】本考案のペット用便器における有底容器の平面図。
【図７】本考案の訓練方法、及び、本考案のペット用便器におけるカバー及び便座が人間用便器に転用されている状態の変化を段階的に示す説明図。
【図８】本考案の訓練方法を経たネコと、人間とが人間用便器を共用する時の説明図。
【符号の説明】
【００３２】
１…ペット用便器、１１…カバー、１１０…通孔、１１１…上面、１１３…擬似模様、１２…有底容器、１２０…上方開口、１２１…本体、１２２…穴、１２３…底部、１３…糞尿吸収剤擬似体、１４…便座、１５…糞尿容器、１５１…糞尿吸収剤、１５２…上開口、１８１…板体、１８２…支持台、１９…登り板、２…人間用便器、Ｓ１〜Ｓ１１…ステップ。
【図１】
0003141602.tif 000003
【図２】
0003141602.tif 000004
【図３】
0003141602.tif 000005
【図４】
0003141602.tif 000006
【図５】
0003141602.tif 000007
【図６】
0003141602.tif 000008
【図７】
0003141602.tif 000009
【図８】
0003141602.tif 000010